(57)【要約】【課題】簡単な構造を有し、且つ、部品点数も少なく、多様な形態に自在に組立てることができる、照明具およびその製造方法を提供する。【解決手段】照明具１０は、光源１２を含む。光源１２は、１枚の光源支持パネル１４により支持される。光源１２を支持した光源支持パネル１４は、複数枚の組積みパネル４０Ａ〜４０Ｉによって適宜組積みされる。光源支持パネル１４および組積みパネル４０Ａ〜４０Ｉは、それぞれ、その周縁部に６つの連結スリット部１８ａ〜１８ｆおよび係止スリット部１８ａ〜１８ｆを有する。光源支持パネル１８ａ〜１８ｄに、複数枚の組積みパネル４０Ａ〜４０Ｉの係止スリット部１８ａ〜１８ｄが適宜嵌合・係止されることにより、多様な形態の照明具１０が構成される。【選択図】図１
2005123077.tif 000002
【特許請求の範囲】
【請求項１】
光源、
連結スリット部を有し、前記光源を支持する光源支持パネル、および
前記光源支持パネルの連結スリット部に係止され、前記光源パネルを立設可能に支持すると共に、所望の形態に組積みされる組積みパネルを含む、照明具。
【請求項２】
前記連結スリット部は、前記光源支持パネルの周縁端から内側に向いて延びるように、前記光源支持パネルの周縁部に間隔を隔てて配置される、請求項１に記載の照明具。
【請求項３】
前記組積みパネルは、前記組積みパネルの周縁端から内側に向いて延びるように、前記組積みパネルの周縁部に間隔を隔てて配置される係止スリット部を含み、
前記組積みパネルの係止スリット部と前記光源支持パネルの連結スリット部とが嵌合される、請求項１または請求項２に記載の照明具。
【請求項４】
前記連結スリット部および前記係止スリット部は、それぞれ、前記光源支持パネルおよび前記組積みパネルの厚みと同程度かそれよりも僅かに大きく直線状に配置され、
前記光源支持パネルと前記組積みパネルとは、直交する方向に連結される、請求項１〜請求項３のいずれかに記載の照明具。
【請求項５】
前記光源、前記光源支持パネル、前記組積みパネルを準備する準備工程、
前記光源を前記光源支持パネルで支持する光源支持工程、および
前記光源支持パネルの連結スリット部に、前記組積みパネルを係止することによって、前記光源支持パネルを立設させると共に、所望の形態に前記組積みパネルを組積みする組積工程を含む、請求項１〜請求項４のいずれかに記載の照明具の製造方法。
【発明の詳細な説明】
【技術分野】
【０００１】
この発明は、照明具およびその製造方法に関し、特に、室内装飾等に用いられて好適な照明具およびその製造方法に関する。
【背景技術】
【０００２】
本願発明の背景となる従来技術の一例としては、スタンド台と、スタンド台に立設したスタンドポールと、スタンドポールに設けた光源と、光源の周囲に配置されたセードと、スタンドポールに取り付けたアクセサリー受けと、アクセサリー受けと光源との間に配置され、アクセサリーを係止するためのフックとを有する照明器具があった（例えば、特許文献１参照。）。
この従来の照明器具では、アクセサリー受けにアクセサリーを装飾したとき、光源からの光がアクセサリーに当たり、光が乱反射するため、アクセサリーの輝きが一層増すものとなり、照明器具のインテリア機能が優れたものとなる。
【０００３】
また、本願発明の背景となる従来技術の他の例としては、ランプ等の発光体からなる光源および皿状の反射器とを備え、反射器の外面に配置され、且つ、その軸が反射器を貫通して光源の上方まで突出するモーターなどの回転機構と、回転機構の軸の上端に配置され、且つ、種々の色または模様を有する透明性平板体と、透明性平板体の周辺に垂直に配置され、且つ、多辺形に配置された高反射性材料からなる反射素子とを有する装飾用照明器具があった（例えば、特許文献２参照。）。
この従来の装飾用照明器具では、反射器と光源とが回転機構に固定されているため回転せず、透明性平板体および反射素子は、光源と相対的に回転する。そのため、回転機構により透明性平板体が回転し、光源から放射した光が透明性平板体を透過して、反射素子の反射を介して外部へ投射された場合、光源に対向する透明性平板体上の色または模様が周期的に変化するものとなる。
【０００４】
また、本願発明の背景となる従来技術のさらに他の例としては、室内で蛍光灯や白熱灯等の一般の照明器具の光源を消灯させた状態にして、装飾用として使用者に興味をもたらすことができる装飾用照明装置があった（例えば、特許文献３参照。）。
この従来の装飾用照明装置は、外部から透視することができ、ボディを構成するパイプ状のシェードを含む。シェードの内部の少なくとも一端側には、指向性のある光を放出することのできる光源が装着される。光源は、基板を含み、基板の略中央には、集積回路を有する整流回路素子が装着され、基板の周縁部近辺の内側には、略等角間隔に発光ダイオードが装着される。また、シェードの外側面の円周方向には、多数のヘアラインが形成される。
したがって、室内の蛍光灯や白熱灯等の照明器具を消灯させた状態で、この従来の装飾用照明装置を点灯させた場合、暗い室内の中で、発光ダイオードから放出されて下部から上部に向かって収束しながら進行する光が明確な軌道を描いて鮮明に見えることになり、装飾的効果が演出される。
【０００５】
【特許文献１】実開平５−７９８１１号公報（第７−９頁、図１，図２，図３）
【特許文献２】特開平１１−１８５５０７号公報（第２−３頁、図１，図２，図３，図４）
【特許文献３】特開２００３−２７２４０５号公報（第２−３頁、図１，図２，図３）
【発明の開示】
【発明が解決しようとする課題】
【０００６】
しかしながら、上述した従来の照明器具（例えば、特許文献１参照。）では、スタンド台、スタンドポール、光源、セード、アクセサリー受け、フック、アクセサリー等、多くの構成部材で構成され、組立構造も複雑なものであった。
すなわち、この従来の照明器具では、スタンドポールをスタンド台に立設させるに当たって、スタンド台の上側に飾りナットが配置され、その下側に六角ナットおよびワッシャーが配置される。そして、スタンドポールの下端に飾りナット，スタンド台の挿通穴，ワッシャー，六角ナットが下方から順次取り付けられる。次いで、金飾パイプにスタンドポールが挿通され、飾りナットがスタンドポールに螺合されることにより、金飾パイプが固定される。また、アクセサリー受けをスタンドポールに固定するに当たっては、アクセサリー受けの上側に飾りナットが配置され、その下側に飾りナットおよびワッシャーが配置される。そして、スタンドポールの中央、すなわち、金飾パイプの上方において、飾りナット，ワッシャー，アクセサリー受けの挿通穴，飾りナットが上方から順次取り付けられる。さらに、金飾パイプにスタンドポールが挿通され、フックがスタンドポールに螺合されて金飾パイプが固定される。さらに、スタンドポールの上端には、下金具を介して接続リングが取り付けられる。接続リングは、セードを固定するためのセード支持アームと一体に形成されている。接続リングの上側には、ソケットを内蔵した上金具が配置される。ソケットと接続した電源コードは、スタンドポールの内部に貫通され、コード穴より外部へ導出される。
このように、この従来の照明器具では、それを構成する部品点数が多く、それらの部品を組み立てるのに手間がかかるものであった。また、この従来の照明器具では、それらの部品を梱包する場合でも、各部品の種類や形状，大きさ等が異なるため、種々の梱包材や緩衝材を必要とし、梱包が嵩張る上、梱包作業も複雑なものとなる。さらに、この従来の照明器具では、スタンド台、アクセサリー受け、フック、セード等の各部品がそれぞれ所定の形状を有し、それらの部品を組立てて形成されるため、組立て後の照明器具全体の形態もある程度一定となり、多様性に欠けるものであった。
【０００７】
また、従来の装飾用照明器具（例えば、特許文献２参照。）は、光源、反射器、回転機構、透明性平板体、反射素子等の構成部材で構成されるため、前述の従来の照明器具と同様、部品点数が多いものとなっていた。しかも、回転機構には、モーターなどが使用され、反射素子には、アルミ真空蒸着フィルムなどの高反射性材料が使用されるので、部品コストも高くついていた。そして、この従来の装飾用照明器具についても、構成部品自体の形状を変えない限り、装飾用照明器具全体の形態が一定のものとなり、多様性に欠けるものである。
【０００８】
さらに、従来の装飾用照明装置（例えば、特許文献３参照。）では、光源が基板を有し、基盤には、集積回路を有する整流回路素子および発光ダイオード等の繊細な電子部品が装着されるため、製造工程上の性能試験等の検品に手間を要するものであった。また、この従来の装飾用照明装置についても、シェードおよびシェード保持ボディ等の部品の形状を変えない限り、装飾用照明装置全体の形態が多様性に富んだものとはならない。
【０００９】
それゆえに、この発明の主たる目的は、簡単な構造を有し、部品点数も少なく、且つ、多様な形態に自在に組立てることができる、照明具およびその製造方法を提供することである。
【課題を解決するための手段】
【００１０】
請求項１にかかる本願発明は、光源と、連結スリット部を有し、光源を支持する光源支持パネルと、光源支持パネルの連結スリット部に係止され、光源パネルを立設可能に支持すると共に、所望の形態に組積みされる組積みパネルを含む、照明具である。
請求項２にかかる本願発明は、請求項１にかかる発明に従属する発明であって、連結スリット部は、光源支持パネルの周縁端から内側に向いて延びるように、光源支持パネルの周縁部に間隔を隔てて配置される、照明具である。
請求項３にかかる本願発明は、請求項１または請求項２にかかる発明であって、組積みパネルは、組積みパネルの周縁端から内側に向いて延びるように、組積みパネルの周縁部に間隔を隔てて配置される係止スリット部を含み、組積みパネルの係止スリット部と光源支持パネルの連結スリット部とが嵌合される、照明具である。
請求項４にかかる本願発明は、請求項１〜請求項３のいずれかにかかる発明であって、連結スリット部および係止スリット部は、それぞれ、光源支持パネルおよび組積みパネルの厚みと同程度かそれよりも僅かに大きく直線状に配置され、光源支持パネルと組積みパネルとは、直交する方向に連結される、照明具である。
請求項５にかかる本願発明は、請求項１〜請求項４のいずれかに記載の照明具の製造方法であって、光源、光源支持パネルおよび組積みパネルを準備する準備工程と、光源を光源支持パネルで支持する光源支持工程と、光源支持パネルの連結スリット部に、組積みパネルを係止することによって、光源支持パネルを立設させると共に、所望の形態に組積みパネルを組積みする組積工程とを含む、照明具の製造方法である。
［作用］
請求項１にかかる本願発明では、光源支持パネルが光源を支持する。組積みパネルは、光源支持パネルの連結スリット部に係止され、光源パネルを立設可能に支持する。さらに、組積みパネルは、適宜、所望の形態に組積みされる。
請求項２にかかる本願発明では、光源支持パネルの連結スリット部に組積みパネルが係止されることによって、光源支持パネルおよび組積みパネルが所望の形態に組積みされる。この場合、連結スリット部は、光源支持パネルの周縁部に配置されるため、連結スリット部に組積みパネルの周縁端部を挿入・嵌合させて連結することが容易となる。
請求項３にかかる本願発明では、組積みパネルの係止スリット部と光源支持パネルの連結スリット部とが嵌合されることによって、光源支持パネルおよび組積みパネルが所望の形態に組積みされる。
請求項４にかかる本願発明では、連結スリット部および係止スリット部が、それぞれ、光源支持パネルおよび組積みパネルの厚みと同程度かそれよりも僅かに大きく直線状に配置される。また、光源支持パネルと組積みパネルとは、直交する方向に連結される。そのため、光源支持パネルおよび組積みパネルの組積みが簡易なものとなる。
請求項５にかかる本願発明では、準備工程により、光源、光源支持パネルおよび組積みパネルが準備される。また、光源支持工程により、光源が光源支持パネルで支持される。さらに、組積工程によって、光源支持パネルの連結スリット部に組積みパネルが係止されて、光源支持パネルが立設される。それと共に、組積みパネルは、適宜、所望の形態に組積みされる。
【発明の効果】
【００１１】
この発明によれば、簡単な構造を有し、且つ、部品点数も少なく、多様な形態に自在に組立てることができる、照明具およびその製造方法が得られる。
【００１２】
この発明の上述の目的，その他の目的，特徴および利点は、図面を参照して行う以下の発明を実施するための最良の形態の説明から一層明らかとなろう。
【発明を実施するための最良の形態】
【００１３】
図１は、本願発明にかかる照明具の一例を示す図であって、図１（Ａ）はその分解斜視図であり、図１（Ｂ）はその斜視図である。
照明具１０は、光源１２を含む。光源１２は、たとえば１枚の光源支持パネル１４によって支持される。光源支持パネル１４は、図２（Ａ），（Ｂ），（Ｃ）に示すように、たとえば矩形状のパネル本体１６を含む。パネル本体１６の周縁部には、間隔を隔てて、たとえば６つの連結スリット部１８ａ，１８ｂ，１８ｃ，１８ｄ，１８ｅ，１８ｆが配置される。６つの連結スリット部１８ａ〜１８ｆは、それぞれ、パネル本体１６の周縁端から内側に向いて所定の長さでもって直線状に延び設けられる。
【００１４】
この場合、特に、図２（Ａ）に示すように、パネル本体１６の幅方向の一方の長辺部には、連結スリット部１８ａ，１８ｂが配置される。連結スリット部１８ａ，１８ｂは、一方の長辺部の長手方向に所定の間隔を隔てて配置される。連結スリット部１８ａ，１８ｂは、一方の長辺部の端縁からパネル本体１６の内側に向けて直角に延び設けられる。また、パネル本体１６の幅方向の他方の長辺部には、連結スリット部１８ｃ，１８ｄが配置される。連結スリット部１８ｃ，１８ｄは、他方の長辺部の長手方向に所定の間隔を隔てて配置される。連結スリット部１８ｃ，１８ｄは、他方の長辺部の端縁からパネル本体１６の内側に向けて直角に延び設けられる。そして、連結スリット部１８ａ，１８ｂおよび連結スリット部１８ｃ，１８ｄは、それぞれ、同一直線上に対向配置される。
【００１５】
さらに、パネル本体１６の長手方向の一方の短辺部および他方の短辺部には、図２（Ａ）に示すように、それぞれ、連結スリット部１８ｅおよび連結スリット部１８ｆが配置される。連結スリット部１８ｅおよび連結スリット部１８ｆは、それぞれ、一方の短辺部および他方の短辺部の略中央に配置される。連結スリット部１８ｅおよび１８ｆは、それぞれ、一方の短辺部の端縁および他方の短辺部の端縁からパネル本体１６の内側に向けて直角に延び設けられる。そして、連結スリット部１８ｅおよび連結スリット部１８ｆは、それぞれ、同一直線上に対向配置される。
【００１６】
さらに、パネル本体１６は、図２（Ａ）に示すように、その略中央に、たとえば円形の貫通孔２０を有する。この貫通孔２０は、光源１２をパネル本体１６に装着するための装着用孔としての機能を有するものである。
【００１７】
なお、上述の例では、例えば、パネル本体１６の長手方向の長さが１８０ｍｍ、その幅方向の長さが１２０ｍｍ、その厚みが２ｍｍに形成される。また、６つの連結スリット部１８ａ〜１８ｆのスリット長さは、それぞれ、略同一に形成される。さらに、連結スリット部１８ａ〜１８ｆのスリット幅は、パネル本体１６の厚みと略同じかそれよりも僅かに大きく形成される。この場合、例えば、連結スリット部１８ａ〜１８ｆのスリット長さは、２９ｍｍに形成される。連結スリット部１８ａ〜１８ｆのスリット幅は、２．５ｍｍに形成される。また、貫通孔２０は、たとえば直径が８ｍｍに形成される。さらに、パネル本体１６は、例えば、透光性を有し、且つ、耐熱性に優れたアクリル樹脂等の合成樹脂で一体的に形成されることが好ましい。
【００１８】
一方、光源１２は、たとえば図３（Ａ），（Ｂ），（Ｃ）に示すように、小型電球２２を含む。小型電球２２は、ソケットカバー２４で保護されたソケット本体（図示せず）に支持される。ソケット本体（図示せず）の軸方向の一方側には、その周面に雄ねじ面を有する中空軸部２６が設けられる。小型電球２２は、接続導線（図示せず）に接続され、接続導線（図示せず）は、電源コード２８に接続される。電源コード２８は、ソケット本体（図示せず）の中空軸部２６から引き出される。
【００１９】
次に、照明具１０の製造方法の一例について、図１（Ａ），（Ｂ）、図２（Ａ），（Ｂ），（Ｃ）および図３（Ａ），（Ｂ），（Ｃ）を参照しながら、詳細に説明する。
先ず、１つの光源１２、１枚の光源支持パネル１４、および、９枚の組積みパネル４０Ａ，４０Ｂ，４０Ｃ，４０Ｄ，４０Ｅ，４０Ｆ，４０Ｇ，４０Ｈ，４０Ｉが準備される（準備工程）。
そして、光源１２は、上述した光源支持パネル１４のパネル本体１６に支持される（光源支持工程）。すなわち、光源支持パネル１４の一方主面側に光源１２が配置される。次に、光源１２の電源コード２８が、パネル本体１６の一方主面側から、その貫通孔２０に挿通される。電源コード２８は、特に、図３（Ｂ）に示すように、ソケットカバー２４の軸方向の一端側の周縁部がパネル本体１６の一方主面にしっかりと当接されるように貫通孔２０に挿通される。この場合、パネル本体１６の他方主面側にソケット本体（図示せず）の中空軸部２６が突出し、該中空軸部２６には、パネル本体１６の他方主面から、ゴム等の弾性材からなるラバーパッキン３０が嵌め込まれて、貫通孔２０の周縁端部がシールされる。さらに、該中空軸部２６には、パネル本体１６の他方主面側からナット３２が締結され、光源１２がパネル本体１６の貫通孔２０に装着される。このようにして、光源１２は、光源支持パネル１４に支持される。
【００２０】
さらに、光源１２を支持した光源支持パネル１４は、９枚の組積みパネル４０Ａ，４０Ｂ，４０Ｃ，４０Ｄ，４０Ｅ，４０Ｆ，４０Ｇ，４０Ｈ，４０Ｉによって、立設可能に支持されると共に、９枚の組積みパネル４０Ａ〜４０Ｉは、多様な形態に組積みされる（組積工程）。
なお、９枚の組積みパネル４０Ａ〜４０Ｉは、上述した光源支持パネル１４と略同様の構造を有するので、ここでは、その詳細な説明は省略し、簡単に説明する。なお、光源支持パネル１４の構造の説明で使用した部材の名称およびそれに付した符号と同じものについては、同様の作用・効果を有するものである。
【００２１】
すなわち、９枚の組積みパネル４０Ａ〜４０Ｉは、それぞれ、パネル本体１６を含み、パネル本体１６の周縁部には、所定の間隔を隔てて、６つの係止スリット部１８ａ，１８ｂ，１８ｃ，１８ｄ，１８ｅ，１８ｆが配置される。これらの係止スリット部１８ａ〜１８ｆは、光源支持パネル１４の連結スリッ部１８ａ〜１８ｆと同様の構造を有するため、部材の名称は相違するが、ここでは、同じ符合を付している。組積みパネル４０Ａ〜４０Ｉのパネル本体１６と、光源支持パネル１４のパネル本体１６との相違点は、組積みパネル４０Ａ〜４０Ｉのパネル本体１６が光源１２を取付けるための貫通孔２０を有していない点だけであり、それ以外は同じ構造を有し、同形同大に形成される。
【００２２】
そこで、１枚の光源支持パネル１４および９枚の組積みパネル４０Ａ〜４０Ｉを用いた照明具１０の組積工程の一例について説明する。
図１に示す照明具１０では、特に、図１（Ａ）に示すように、光源支持パネル１４の前面側に、１枚の組積みパネル４０Ａが間隔を隔てて平行に対向配置される。その状態で、光源支持パネル１４の連結スリット部１８ａおよび組積みパネル４０Ａの係止スリット部１８ａには、他の１枚の組積みパネル４０Ｂの係止スリット部１８ｃおよび１８ｄが嵌合・係止される。また、光源支持パネル１４の連結スリット部１８ｂおよび組積みパネル４０の係止スリット部１８ｂには、さらに他の１枚の組積みパネル４０Ｃの係止スリット部１８ｃおよび１８ｄが嵌合・係止される。この場合、光源支持パネル１４，組積みパネル４０Ａと、組積みパネル４０Ｂ，４０Ｃとは、直交する方向に連結される。
【００２３】
同様にして、光源支持パネル１４の連結スリット部１８ｃおよび組積みパネル４０Ａの係止スリット部１８ｃには、さらに他の１枚の組積みパネル４０Ｄの係止スリット部１８ａおよび１８ｂが嵌合・係止される。また、光源支持パネル１４の連結スリット部１８ｄおよび組積みパネル４０Ａの係止スリット部１８ｄには、さらに他の１枚の組積みパネル４０Ｅの係止スリット部１８ａおよび１８ｂが嵌合・係止される。この場合、光源支持パネル１４，組積みパネル４０Ａと、組積みパネル４０Ｄ，４０Ｅとは、直交する方向に連結される。
【００２４】
さらに、組積みパネル４０Ｂの係止スリット部１８ｅおよび組積みパネル４０Ｃの係止スリット部１８ｅには、さらに他の１枚の組積みパネル４０Ｆの係止スリット部１８ｃおよび１８ｄが嵌合・係止される。また、組積みパネル４０Ｂの係止スリット部１８ａおよび組積みパネル４０Ｃの係止スリット部１８ａには、さらに他の１枚の組積みパネル４０Ｇの係止スリット部１８ｃおよび１８ｄが嵌合・係止される。この場合、組積みパネル４０Ｂ，４０Ｃと、組積みパネル４０Ｆ，４０Ｇとは、直交する方向に連結される。
【００２５】
さらに、組積みパネル４０Ｄの係止スリット部１８ｆおよび組積みパネル４０Ｅの係止スリット部１８ｆには、さらに他の１枚の組積みパネル４０Ｈの係止スリット部１８ａおよび１８ｂが嵌合・係止される。また、組積みパネル４０Ｄの係止スリット部１８ｄおよび組積みパネル４０Ｅの係止スリット部１８ｄには、さらに他の１枚の組積みパネル４０Ｉの係止スリット部１８ａおよび１８ｂが嵌合・係止される。この場合、組積みパネル４０Ｄ，４０Ｅと、組積みパネル４０Ｈ，４０Ｉとは、直交する方向に連結される。
【００２６】
このようにして、照明具１０では、図１（Ｂ）に示すような形態に組積みされ、組立てられる。この場合、組積みパネル４０Ｈの幅方向の一方端部および組積みパネル４０Ｉの幅方向の一方端部が、該照明具１０を立設するための設置面となり、組積みパネル４０Ａ〜４０Ｇが該照明具１０の光源１２のハウジングシェードを構成している。
【００２７】
この照明具１０およびその製造方法では、１つの光源１２と、１枚の光源支持パネル１４と、９枚の組積みパネル４０Ａ〜４０Ｉとによって、つまり、３種類の部材構成によって構成されている。しかも、光源支持パネル１４および組積みパネル４０Ａ〜４０Ｉのアセンブリは、光源支持パネル１４の連結スリット部１８ａ〜１８ｆおよび組積みパネル４０Ａ〜４０Ｉの係止スリット部１８ａ〜１８ｆを適宜嵌合・係止することによって行なわれるため、手間をかけることなく、極めて容易に組立てることができ、その組立構造も簡単なものとなる。そして、部品点数が少なく、且つ、単純な構造なので製造工程における各部品の検品等の時間の省力化が図られ、製造工程に要する時間も短縮することが可能となる。
【００２８】
さらに、組積みパネル４０Ａ〜４０Ｉのアセンブリにより構成される照明具１０の形態は、図１（Ａ），（Ｂ）に示すものに限定されるものではなく、使用者の趣向に応じて、たとえば図５，図６，図７に示すように、多様な形態に自在に組立てることができる。この場合、この照明具１０では、組積みパネル４０Ａ〜４０Ｇで囲まれたハウジングシェードの各スリット部から光源１２の光が漏れ出て微妙な照明効果を奏する。
【００２９】
この照明具１０では、部品の種類および点数が少ない上に、１枚の光源支持パネル１４と９枚の組積みパネル４０Ａ〜４０Ｉとが略同形同大に形成されるため、該照明具１０を梱包する場合、たとえば図４に示すように、極めて簡単に且つスペースを取ることなく、たとえば箱状の梱包材５０で梱包することができ、梱包構造も単純なものとなる。また、この場合、梱包が嵩張らず小さくて済むので、持ち運びが容易となり、輸送コスト等も低く抑えることができる。さらに、無駄な梱包材料もいらないので、環境にも配慮することができる。
【００３０】
なお、上述の光源支持パネル１４および組積みパネル４０Ａ〜４０Ｉにおいて、それぞれ、連結スリット部１８ａ〜１８ｆおよび係止スリット部１８ａ〜１８ｆの他に、パネル本体１６の周縁部以外の箇所に該パネル本体１６を貫通する貫通スリットを適宜有するようにしてもよい。この場合、光源１２を取囲むハウジングシェードに多様なスリット部を構成できるので、該スリット部から漏れ出る光源１２の光によって、多様な光の演出効果が期待できる。しかも、ハウジングシェードの形態も多様な仕様を構成することが可能となるため、装飾効果も向上する。
また、上述の照明具１０では、光源１２を１枚の光源支持パネル１４に装着・支持させたが、たとえば複数枚の光源支持パネルに装着させてもよい。また、１枚の光源支持パネルと複数の組積みパネルとに分けて光源１２を装着させるようにしてもよい。この場合、複数の光源１２を点滅させたり、複数の光源１２の照度を変えたり、複数の光源１２の発光色を変えたりして、様々な光の装飾効果を醸し出すことが可能となる。
【産業上の利用可能性】
【００３１】
この発明にかかる照明具は、室内空間の装飾効果を高める各種インテリアに用いられて好適である。
【図面の簡単な説明】
【００３２】
【図１】本願発明にかかる照明具の一例を示す図であって、図１（Ａ）はその分解斜視図であり、図１（Ｂ）はその斜視図である。
【図２】本願発明にかかる照明具に適用される光源支持パネルの一例を示す図であって、図２（Ａ）はその正面図であり、図２（Ｂ）はその平面図であり、図２（Ｃ）はその右側面図である。
【図３】光源支持パネルに光源を装着した状態の一例を示す図であって、図３（Ａ）はその正面図であり、図３（Ｂ）はその平面図であり、図３（Ｃ）はその右側面図である。
【図４】本願発明にかかる照明具の梱包方法の一例を示す斜視図である。
【図５】本願発明にかかる照明具の他の例を示す図であって、図５（Ａ）はその分解斜視図であり、図５（Ｂ）はその斜視図である。
【図６】本願発明にかかる照明具のさらに他の例を示す図であって、図６（Ａ）はその分解斜視図であり、図６（Ｂ）はその斜視図である。
【図７】本願発明にかかる照明具のさらに他の例を示す図であって、図７（Ａ）はその分解斜視図であり、図７（Ｂ）はその斜視図である。
【符号の説明】
【００３３】
１０  照明具
１２  光源
１４  光源支持パネル
１６  パネル本体
１８ａ,１８ｂ,１８ｃ,１８ｄ,１８ｅ,１８ｆ  光源支持パネルの連結スリット部（組積みパネルの係止スリット部）
２０  貫通孔
２２  小型電球
２４  ソケットカバー
２６  中空軸部
２８  電源コード
３０  ラバーパッキン
３２  ナット
４０Ａ，４０Ｂ，４０Ｃ，４０Ｄ，４０Ｅ，４０Ｆ，４０Ｇ，４０Ｈ，４０Ｉ  組積みパネル
５０  梱包材
【図１】
2005123077.tif 000003
【図２】
2005123077.tif 000004
【図３】
2005123077.tif 000005
【図４】
2005123077.tif 000006
【図５】
2005123077.tif 000007
【図６】
2005123077.tif 000008
【図７】
2005123077.tif 000009